(57)【要約】【課題】幅広いユーザからの投稿を可能としつつ、より適切なコンテンツが投稿されるシステムを実現すること。【解決手段】コンテンツの投稿者及び階層的な権限を有する複数の校閲者によって使用される複数の端末装置と、前記階層的な権限を有する複数の校閲者のうち、少なくとも、コンテンツの公開に関する責任者によって校閲されたコンテンツを公開するサーバと、を含み、前記コンテンツの投稿者の端末装置から投稿されたコンテンツが、前記階層的な権限を有する複数の校閲者の端末装置によって順次取得されることにより、前記校閲者の校閲が順次行われ、前記校閲者の校閲において承認された前記コンテンツが、前記責任者の端末装置から前記サーバに送信されることにより、前記コンテンツが公開されるコンテンツ投稿システム。【選択図】図５
2015022342.tif 000002
【特許請求の範囲】
【請求項１】
コンテンツの投稿者及び階層的な権限を有する複数の校閲者によって使用される複数の端末装置と、
前記階層的な権限を有する複数の校閲者のうち、少なくとも、コンテンツの公開に関する責任者によって校閲されたコンテンツを公開するサーバと、を含み、
前記コンテンツの投稿者の端末装置から投稿されたコンテンツが、前記階層的な権限を有する複数の校閲者の端末装置によって順次取得されることにより、前記校閲者の校閲が順次行われ、前記校閲者の校閲において承認された前記コンテンツが、前記責任者の端末装置から前記サーバに送信されることにより、前記コンテンツが公開されるコンテンツ投稿システム。
【請求項２】
前記複数の端末装置には、
コンテンツの投稿者によってコンテンツの投稿に用いられる投稿者用端末装置と、
前記投稿者用端末装置の投稿者によって投稿された前記コンテンツを校閲する校閲者によって前記コンテンツの校閲に用いられる中間校閲者用端末装置と、
前記校閲者によって校閲された前記コンテンツを公開する公開責任者によって用いられる公開責任者用端末装置と、が含まれ、
前記投稿者用端末装置は、
前記コンテンツの入力を受け付けるコンテンツ入力受付手段と、
前記コンテンツ入力受付手段によって受け付けられた前記コンテンツに、前記投稿者の属性を示す属性情報を付加する属性情報付加手段と、
前記属性情報付加手段によって前記属性情報が付加された前記コンテンツを前記中間校閲者用端末装置による取得対象として提供するコンテンツ提供手段と、を備え、
前記中間校閲者用端末装置は、
前記投稿者用端末装置の前記コンテンツ提供手段によって提供された前記コンテンツを取得するコンテンツ取得手段と、
前記コンテンツ取得手段によって取得された前記コンテンツに、前記校閲者の校閲結果を付加する校閲結果付加手段と、
前記校閲結果付加手段によって前記校閲結果が付加された前記コンテンツを前記公開責任者用端末装置による取得対象として提供する校閲済みコンテンツ提供手段と、を備え、
前記公開責任者用端末装置は、
前記中間校閲者用端末装置の前記校閲済みコンテンツ提供手段によって提供された前記コンテンツを取得する校閲済みコンテンツ取得手段と、
前記校閲済みコンテンツ取得手段によって取得された前記コンテンツを前記サーバにおいて公開させる公開手段と、を備える請求項１に記載のコンテンツ投稿システム。
【請求項３】
前記サーバは、
前記校閲者による前記コンテンツの校閲結果を当該コンテンツの投稿者あるいは校閲者毎に管理し、
過去の投稿あるいは校閲に関する前記校閲結果の履歴が特定の条件を充足している場合、当該投稿あるいは校閲を行った投稿者あるいは校閲者によって使用される前記端末装置から、前記階層的な権限を有する複数の校閲者における階層を越えて、前記コンテンツを前記校閲者または前記責任者によって使用される前記端末装置による取得対象として提供することが許可される請求項１または２に記載のコンテンツ投稿システム。
【請求項４】
前記サーバは、
前記コンテンツを広告と共に公開するページ形成手段と、
前記広告による収益が発生した場合に、当該広告と共に公開されている前記コンテンツの投稿及び校閲に関わった投稿者及び校閲者に応じて、前記広告による収益を分配する収益分配手段を備える請求項１から３のいずれか１項に記載のコンテンツ投稿システム。
【請求項５】
コンテンツの投稿者及び階層的な権限を有する複数の校閲者によって使用される複数の端末装置と、
前記階層的な権限を有する複数の校閲者のうち、少なくともコンテンツの公開に関する責任者によって校閲されたコンテンツを公開するサーバと、を含むコンテンツ投稿システムを構成する端末装置であって、
前記コンテンツの投稿者の端末装置によって提供された前記コンテンツを取得するコンテンツ取得手段と、
前記コンテンツ取得手段によって取得された前記コンテンツに、前記校閲者の校閲結果を付加する校閲結果付加手段と、
前記校閲結果付加手段によって前記校閲結果が付加された前記コンテンツを他の校閲者の端末装置による取得対象として提供する校閲済みコンテンツ提供手段と、を備える端末装置。
【請求項６】
コンテンツの投稿者及び階層的な権限を有する複数の校閲者によって使用される複数の端末装置と、
前記階層的な権限を有する複数の校閲者のうち、少なくとも、コンテンツの公開に関する責任者によって校閲されたコンテンツを公開するサーバと、を含むコンテンツ投稿システムにおけるコンテンツ投稿方法であって、
前記コンテンツの投稿者の端末装置から投稿されたコンテンツが、前記階層的な権限を有する複数の校閲者の端末装置によって順次取得されることにより、前記校閲者の校閲が順次行われ、前記校閲者の校閲において承認された前記コンテンツが、前記責任者の端末装置から前記サーバに送信されることにより、前記コンテンツが公開されるコンテンツ投稿方法。
【請求項７】
コンテンツの投稿者及び階層的な権限を有する複数の校閲者によって使用される複数の端末装置と、
前記階層的な権限を有する複数の校閲者のうち、少なくとも、コンテンツの公開に関する責任者によって校閲されたコンテンツを公開するサーバと、を含むコンテンツ投稿システムを構成する端末装置のためのプログラムであって、
コンピュータに、
前記コンテンツの投稿者の端末装置によって提供された前記コンテンツを取得するコンテンツ取得機能と、
前記コンテンツ取得機能によって取得された前記コンテンツに、前記校閲者の校閲結果を付加する校閲結果付加機能と、
前記校閲結果付加機能によって前記校閲結果が付加された前記コンテンツを他の校閲者の端末装置による取得対象として提供する校閲済みコンテンツ提供機能と、を実現させるプログラム。
【発明の詳細な説明】
【技術分野】
【０００１】
本発明は、コンテンツ投稿システム、端末装置、コンテンツ投稿方法及びプログラムに関する。
【背景技術】
【０００２】
従来、ユーザがインターネット等のネットワークを介して質問を投稿し、投稿された質問に対して、他のユーザが回答を投稿するシステムが知られている。
このようなシステムとしては、回答を投稿する権利が特定の専門家等に制限されているものがある。
回答を投稿する権利が特定の専門家等に制限されているシステムにおいては、例えば、一般のユーザが質問を投稿し、特定の専門家がこの質問に対する回答を投稿する。
これに対し、回答を投稿する権利に制限がなく、全てのユーザが回答を投稿できるものも知られている。
このようなシステムにおいては、例えば、一般のユーザが質問を投稿し、他の一般のユーザがこの質問に対する回答を投稿する。
これにより、回答を投稿する権利が特定の専門家等に制限されている場合に比べ、幅広いユーザから簡単に、質問に対する回答の投稿を受け付けることができる。
なお、このようなシステムに関して、特許文献１には、投稿された質問に対して、回答の内容を基に回答者の適否を判別し、回答者としてより適していると判別された回答者に回答を行わせるシステムが記載されている。
【先行技術文献】
【特許文献】
【０００３】
【特許文献１】特開２００７−０８７４３３号公報
【発明の概要】
【発明が解決しようとする課題】
【０００４】
しかしながら、回答を投稿するユーザにおいて、回答者としての適確性には、ばらつきがあるのが通例である。そのため、従来の技術においては、回答を投稿したユーザにおいて、回答者としてより適していると判別されたユーザからの回答であっても、質問に対する回答として十分な内容とはならない可能性がある。
なお、このような事態は、テキストによって構成される記事等のコンテンツのみならず、動画、音楽あるいは写真等、種々のコンテンツを投稿する場合において共通する。
即ち、従来の技術においては、幅広いユーザからの投稿を可能としつつ、より適切なコンテンツが投稿されるシステムを実現することが困難であった。
【０００５】
本発明は、このような課題に鑑みてなされたものであり、幅広いユーザからの投稿を可能としつつ、より適切なコンテンツが投稿されるシステムを実現することを目的とする。
【課題を解決するための手段】
【０００６】
本発明は、具体的には以下のようなものを提供する。
【０００７】
本発明の一態様に係るコンテンツ投稿システムは、
コンテンツの投稿者及び階層的な権限を有する複数の校閲者によって使用される複数の端末装置と、前記階層的な権限を有する複数の校閲者のうち、少なくとも、コンテンツの公開に関する責任者によって校閲されたコンテンツを公開するサーバと、を含み、前記コンテンツの投稿者の端末装置から投稿されたコンテンツが、前記階層的な権限を有する複数の校閲者の端末装置によって順次取得されることにより、前記校閲者の校閲が順次行われ、前記校閲者の校閲において承認された前記コンテンツが、前記責任者の端末装置から前記サーバに送信されることにより、前記コンテンツが公開される。
【発明の効果】
【０００８】
本発明によれば、幅広いユーザからの投稿を可能としつつ、より適切なコンテンツが投稿されるシステムを実現することが可能となる。
【図面の簡単な説明】
【０００９】
【図１】第１実施形態に係るコンテンツ投稿システムの全体構成を示す模式図である。
【図２】管理サーバに記憶されているユーザ管理テーブルの一例を示す模式図である。
【図３】情報処理装置のハードウェア構成を示すブロック図である。
【図４】端末装置の機能的構成のうち、投稿処理を実行するための機能的構成を示す機能ブロック図である。
【図５】端末装置の機能的構成のうち、校閲処理を実行するための機能的構成を示す機能ブロック図である。
【図６】管理サーバの機能的構成のうち、記事公開処理を実行するための機能的構成を示す機能ブロック図である。
【図７】記事データベース記憶部に記憶されている記事データベースの一例を示す模式図である。
【図８】図４の機能的構成を有する端末装置が実行する投稿処理の流れを説明するフローチャートである。
【図９】図５の機能的構成を有する端末装置が実行する校閲処理の流れを説明するフローチャートである。
【図１０】図６の機能的構成を有する管理サーバが実行する記事公開処理の流れを説明するフローチャートである。
【図１１】管理サーバの機能的構成のうち、広告収入分配処理を実行するための機能的構成を示す機能ブロック図である。
【図１２】広告収入分配管理テーブル記憶部に記憶されている広告収入分配管理テーブルの一例を示す模式図である。
【図１３】図１１の機能的構成を有する管理サーバが実行する広告収入分配処理の流れを説明するフローチャートである。
【発明を実施するための形態】
【００１０】
以下、本発明の実施形態について図面を参照して説明する。
【００１１】
本実施形態に係るコンテンツ投稿システムでは、複数のユーザがコンテンツ（ここではテキストからなる「記事」とする）の編集に関する権限に応じて、投稿者、エディタ（中間校閲者）、エキスパート（中間校閲者）及び地域リーダー（公開責任者）の地位を与えられており、投稿者、エディタ、エキスパート及び地域リーダーの順に権限が高くなっている。そして、投稿者は、記事を起案してエディタによる校閲対象として登録し、エディタは、投稿者によって登録された記事を校閲して、さらにエキスパートによる校閲対象として登録する。同様に、エキスパートは、エディタによって登録された記事を校閲して、さらに地域リーダーによる校閲対象として登録する。地域リーダーの校閲を経て、掲載が決定された記事は、管理サーバにおいて公開され、一般のユーザに閲覧可能な状態となる。
ここで、投稿者から地域リーダーまでの校閲過程において、いずれかの校閲者が掲載に不適切であると判断した記事は、管理サーバにおける公開の対象から除外される。
また、上位の校閲者は、校閲対象として登録された記事を選別して校閲する権利を有している。そのため、上位の校閲者は、公開の対象としてより適切な記事あるいはより適切な投稿を行う投稿者からの記事を選別して校閲することとなる。
このようなシステムとすることにより、幅広いユーザ（投稿者）からの投稿を可能としつつ、より適切なコンテンツ（記事）が投稿されるシステムを実現することができる。
なお、コンテンツの種類としては、テキストからなる記事、会計や経理あるいは設計等のデータ、写真、ゲーム、ビデオ、音楽等を想定することができる。また、コンテンツを校閲する校閲者（エディタ、エキスパート及び地域リーダー）は、コンテンツの種類に応じて、翻訳者、数字データのチェッカー、学校等の教師、記事の編集者、楽曲の編曲者等を想定することができる。
【００１２】
［第１実施形態］
［システム構成］
図１は、本発明の第１実施形態に係るコンテンツ投稿システムの全体構成を示す模式図である。
図１において、コンテンツ投稿システム１は、端末装置１０ａ〜１０ｅと、端末装置２０ａ〜２０ｄと、端末装置３０ａ〜３０ｃと、端末装置４０と、端末装置Ｍと、管理サーバ５０と、広告サーバ６０とを含んで構成され、これらがネットワーク７０を介して互いに通信可能に構成されている。
【００１３】
端末装置１０ａ〜１０ｅは、投稿者によって使用される端末装置であり、後述する投稿処理を実行することにより、投稿者による記事の入力を受け付けたり、入力された記事を含む記事データ（後述）を、校閲を依頼する記事データとして管理サーバ５０に送信したりする。また、端末装置１０ａ〜１０ｅは、管理サーバ５０から、各校閲者によって行われた記事の校閲結果を受信する。
【００１４】
端末装置２０ａ〜２０ｄは、エディタによって使用される端末装置であり、後述する校閲処理を実行することにより、管理サーバ５０のエディタ用記事プールＥＤ（後述）から取得した記事データに含まれる記事を表示したり、この記事に関してエディタによる校閲結果の入力を受け付けたりする。また、端末装置２０ａ〜２０ｄは、校閲対象となった記事及びその校閲結果を含む校閲済み記事データ（後述）を管理サーバ５０に送信する。また、端末装置２０ａ〜２０ｄは、管理サーバ５０から上位の校閲者によって行われた記事の校閲結果を受信する。
【００１５】
端末装置３０ａ〜３０ｃは、エキスパートによって使用される端末装置であり、後述する校閲処理を実行することにより、管理サーバ５０のエキスパート用記事プールＥＸ（後述）から取得した記事データあるいは校閲済み記事データに含まれる記事を表示したり、この記事に関してエキスパートによる校閲結果の入力を受け付けたりする。また、端末装置３０ａ〜３０ｃは、校閲対象となった記事及びその校閲結果を含む校閲済み記事データを管理サーバ５０に送信する。また、端末装置３０ａ〜３０ｃは、管理サーバ５０から上位の校閲者によって行われた記事の校閲結果を受信する。
【００１６】
端末装置４０は、地域リーダーによって使用される端末装置であり、後述する校閲処理を実行することにより、管理サーバ５０の地域リーダー用記事プールＲＬ（後述）から取得した記事データあるいは校閲済み記事データに含まれる記事を表示したり、この記事に関して地域リーダーによる校閲結果の入力を受け付けたりする。また、端末装置４０は、校閲対象となった記事及びその校閲結果を含む校閲済み記事データを管理サーバ５０に送信する。
【００１７】
なお、端末装置１０ａ〜１０ｅ、端末装置２０ａ〜２０ｄ、端末装置３０ａ〜３０ｃ、端末装置４０のユーザは、それぞれ投稿者、エディタ、エキスパート及び地域リーダーであり、このような順番で記事の編集に関する権限が高くなっている。したがって、ユーザの権限に鑑み、以下、特定の端末装置を基準として、記事の編集に関する権限がより高いユーザが使用する端末装置を上位の端末装置、記事の編集に関する権限がより低いユーザが使用する端末装置を下位の端末装置と表現する。
【００１８】
管理サーバ５０は、後述する記事公開処理を実行することにより、端末装置４０から受信した記事データを記事データベースに記憶し、記事データに含まれる記事を公開する。
また、管理サーバ５０は、各端末装置から送信され、上位の校閲者による校閲の対象とされる記事データを一時的に記憶する記事プールを備えている。具体的には、管理サーバ５０は、端末装置１０ａ〜１０ｅから送信され、エディタによる校閲の対象となる記事データを記憶するエディタ用記事プールＥＤと、端末装置１０ａ〜１０ｅあるいは端末装置２０ａ〜２０ｄから送信され、エキスパートによる校閲の対象となる記事データを記憶するエキスパート用記事プールＥＸと、端末装置１０ａ〜１０ｅ、端末装置２０ａ〜２０ｄ、端末装置３０ａ〜３０ｃによって送信され、地域リーダーによる校閲の対象となる記事データを記憶する地域リーダー用記事プールＲＬとを備えている。エディタ、エキスパート及び地域リーダーは、各校閲者に対応する記事プールに記憶された記事データを参照し、自らが校閲を行う記事データを選択する。なお、より上位の校閲者は、下位の校閲者用の記事プール内の記事を閲覧することができる。
さらに、管理サーバ５０は、全てのユーザについてのユーザ識別情報、そのユーザの地位、そのユーザのランク、そのユーザの獲得ポイント数、そのユーザが投稿あるいは校閲を行った記事の識別情報、その記事に関する各校閲者の校閲結果、その記事の公開の有無等、コンテンツ投稿システム１で取り扱われる各種情報が対応付けて記憶されたユーザ管理テーブルを記憶している。
図２は、管理サーバ５０に記憶されているユーザ管理テーブルの一例を示す模式図である。
例えば、図２においては、ユーザ管理テーブルの第１行に、ユーザの識別情報“Ｕ００１”、ユーザの地位“投稿者”、ユーザのランク“３”、ユーザのポイント獲得数“４”、記事の識別情報“Ｃ００１”、各校閲者の校閲結果“Ｒ００１〜Ｒ００３”、記事の公開が“有”である旨が対応付けて記憶されている。
そして、管理サーバ５０は、端末装置１０ａ〜１０ｅから記事を受信した場合や、端末装置２０ａ〜２０ｄ、端末装置３０ａ〜３０ｃ及び端末装置４０から校閲済み記事データを受信した場合、ユーザ管理テーブル内の情報を更新し、最新の状態とする。
【００１９】
広告サーバ６０は、記事と共に表示される広告のデータを記憶している広告データベースを備え、管理サーバ５０が記事を表示するためのページデータを形成する際に、管理サーバ５０に広告のデータを提供する。
なお、コンテンツ投稿システム１は、これらの装置の他、端末装置Ｍを備えている。端末装置Ｍは、管理サーバ５０の運用主体によって使用される端末装置であり、具体的には、コンテンツのクオリティをスポットチェックするクオリティチェッカーや、コミュニティの管理を行う管理者等によって使用される。
ネットワーク７０は、インターネットあるいはイントラネット等のネットワークを含んで構成され、端末装置１０ａ〜１０ｅ、端末装置２０ａ〜２０ｄ、端末装置３０ａ〜３０ｃ、端末装置４０、端末装置Ｍ、管理サーバ５０及び広告サーバ６０を通信可能に接続している。
【００２０】
［ハードウェア構成］
次に、端末装置及び各種サーバのハードウェア構成について説明する。
端末装置１０ａ〜１０ｅ、端末装置２０ａ〜２０ｄ、端末装置３０ａ〜３０ｃ、端末装置４０、管理サーバ５０及び広告サーバ６０は、ほぼ同様のハードウェア構成を有している。即ち、端末装置及び各種サーバは、以下のようなハードウェア構成を有する情報処理装置１００に、各種端末装置あるいは各種サーバの機能を実現するソフトウェアが組み込まれることよって構成されている。
【００２１】
図３は、情報処理装置１００のハードウェア構成を示すブロック図である。
図３において、情報処理装置１００は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、入力部１１６と、出力部１１７と、記憶部１１８と、通信部１１９と、ドライブ１２０と、を備えている。
【００２２】
ＣＰＵ１１１は、ＲＯＭ１１２に記録されているプログラム、または、記憶部１１８からＲＡＭ１１３にロードされたプログラムに従って各種の処理を実行する。
【００２３】
ＲＡＭ１１３には、ＣＰＵ１１１が各種の処理を実行する上において必要なデータ等も適宜記憶される。
【００２４】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、入力部１１６、出力部１１７、記憶部１１８、通信部１１９及びドライブ１２０が接続されている。
【００２５】
入力部１１６は、各種釦等で構成され、ユーザの指示操作に応じて各種情報を入力する。
出力部１１７は、ディスプレイやスピーカ等で構成され、画像や音声を出力する。
記憶部１１８は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部１１９は、インターネットを含むネットワークを介して他の装置（図示せず）との間で行う通信を制御する。
【００２６】
ドライブ１２０には、磁気ディスク、光ディスク、光磁気ディスク、あるいは半導体メモリ等よりなる、リムーバブルメディア１３１が適宜装着される。ドライブ１２０によってリムーバブルメディア１３１から読み出されたプログラムは、必要に応じて記憶部１１８にインストールされる。また、リムーバブルメディア１３１は、記憶部１１８に記憶されている画像のデータ等の各種データも、記憶部１１８と同様に記憶することができる。
【００２７】
［端末装置１０ａ〜１０ｅの機能的構成］
図４は、端末装置１０ａ〜１０ｅの機能的構成のうち、投稿処理を実行するための機能的構成を示す機能ブロック図である。
投稿処理とは、端末装置１０ａ〜１０ｅを使用するユーザ（即ち、投稿者）が、端末装置１０ａ〜１０ｅに記事を入力し、入力された記事を含む記事データを管理サーバ５０に送信した後、管理サーバ５０から、その記事の校閲結果を受信する一連の処理をいう。
【００２８】
投稿処理が実行される場合には、図４に示すように、ＣＰＵ１１１において、記事入力受付部１４１と、属性情報付加部１４２と、記事データ送信部１４３と、校閲結果受信部１４４とが機能する。
【００２９】
ただし、図４は例示であり、ＣＰＵ１１１の機能の少なくとも一部が、ＧＡ（Ｇｒａｐｈｉｃｓ  Ａｃｃｅｌｅｒａｔｏｒ）等の画像処理を行うハードウェアに移譲されてもよい。
記事入力受付部１４１は、入力部１１６等を介してユーザ（投稿者）が入力した記事のデータを受け付け、受け付けた記事のデータを属性情報付加部１４２に出力する。
属性情報付加部１４２は、記事入力受付部１４１から受け渡された記事のデータに、端末装置１０ａ〜１０ｅのユーザ（投稿者）の識別情報、記事の識別情報、ユーザの地位（即ち、投稿者である旨）及びユーザのランク（現在のポイント獲得数）を示す情報（以下、「属性情報」と称する。）を付加する。そして、属性情報付加部１４２は、属性情報を付加した記事のデータ（以下、「記事データ」と称する。）を記事データ送信部１４３に出力する。
【００３０】
記事データ送信部１４３は、属性情報付加部１４２から入力された記事データをネットワーク７０を介して管理サーバ５０に送信する。このとき、記事データ送信部１４３は、管理サーバ５０が備える記事プールのいずれかを指定して、記事データを管理サーバ５０に送信する。
ここで、本実施形態において、ユーザが記事データの校閲を依頼する相手は、原則として、記事の編集に関する権限が１つ上位のユーザである。ただし、校閲を依頼するユーザのランクが一定以上（例えばランク４以上）である場合、上位のユーザを飛び越して、より上位のユーザに記事データの校閲を依頼することとしてもよい。このように上位のユーザを飛び越すための条件としては、例えば、上位のユーザからの評価が蓄積し、一定以上のランクとなった場合に、上位のユーザを飛び越すことが許可され、さらに、上位のユーザからの評価が蓄積し、より高いランクとなった場合に、より上位のユーザを飛び越すことが許可されるといったことが可能である。
本実施形態においては、記事データの校閲の依頼先として許可されているユーザ（校閲者）の地位（エディタあるいはエキスパート等）が、「校閲先ユーザ情報」として記憶部１１８に記憶されている。記事データ送信部１４３は、この「校閲先ユーザ情報」を参照し、管理サーバ５０に備えられた記事プールを指定して記事データを送信する。例えば、記事データの校閲の依頼先としてエディタのみが許可されている場合、記事データ送信部１４３は、管理サーバ５０のエディタ用記事プールＥＤを指定して記事データを送信する。また、記事データの校閲の依頼先として、エディタを飛び越してエキスパートが許可されている場合、記事データ送信部１４３は、管理サーバ５０のエキスパート用記事プールＥＸを指定して記事データを送信する。
【００３１】
校閲結果受信部１４４は、記事データ送信部１４３から送信された記事データについて、管理サーバ５０から送信された校閲結果を受信する。そして、校閲結果受信部１４４は、受信した校閲結果を記憶部１１８に出力する。
【００３２】
［端末装置２０ａ〜２０ｄの機能的構成］
図５は、端末装置２０ａ〜２０ｄの機能的構成のうち、校閲処理を実行するための機能的構成を示す機能ブロック図である。
校閲処理とは、端末装置２０ａ〜２０ｄを使用するユーザ（即ち、エディタ）による記事の校閲結果の入力を受け付け、校閲対象となった記事及びその校閲結果を含む校閲済み記事データを管理サーバ５０に送信した後、管理サーバ５０から、その記事の校閲結果を受信する一連の処理をいう。
【００３３】
校閲処理が実行される場合には、図５に示すように、ＣＰＵ１１１において、記事データ受信部２４１と、記事表示部２４２と、校閲結果入力受付部２４３と、校閲済み記事データ送信部２４４と、校閲結果受信部２４５とが機能する。
【００３４】
ただし、図５は例示であり、ＣＰＵ１１１の機能の少なくとも一部が、ＧＡ等の画像処理を行うハードウェアに移譲されてもよい。
なお、記憶部１１８の他の一領域には、端末装置２０ａ〜２０ｄを使用するユーザ（エディタ）の地位、ランク及びポイントを示す属性情報が記憶されている。
【００３５】
記事データ受信部２４１は、管理サーバ５０から記事データを受信し、受信した記事データを記事表示部２４２に出力する。
ここで、本実施形態においては、端末装置２０ａ〜２０ｄを使用するユーザ（校閲者）は、管理サーバ５０のエディタ用記事プールＥＤに記憶されている記事データから、任意のものを校閲対象として選択する。この場合、例えば、記事データ受信部２４１によって、管理サーバ５０のエディタ用記事プールＥＤに記憶されている記事データの一覧を受信し、この一覧を参照することによって、端末装置２０ａ〜２０ｄのユーザが任意の記事データを選択することができる。そして、記事データ受信部２４１によって、ユーザが選択した記事データを受信し、その記事データがユーザ（エディタ）による校閲の対象とされる。
記事表示部２４２は、記事データ受信部２４１から入力された記事データに基づいて、記事を表示する。即ち、記事表示部２４２は、記事データ受信部２４１から入力された記事データに含まれる記事を出力部１１７のディスプレイに表示する。このように表示された記事は、校閲のためにユーザ（エディタ）に参照される。本実施形態において、エディタは、投稿者によって投稿された記事に対して主に修正作業を行うため、記事表示部２４２は、エディタによる作業に適した表示形態で記事を表示する。例えば、記事表示部２４２は、投稿者によって投稿された記事をエディタの修正履歴が識別された状態で表示する。
校閲結果入力受付部２４３は、ユーザ（エディタ）による記事の校閲結果の入力を受け付ける。本実施形態においては、記事の校閲結果として、校閲を行ったユーザによる記事内容の承認の可否及び記事の修正内容が入力されるものとする。なお、記事の校閲結果として、記事内容の承認の可否及び記事の修正内容に加え、記事に対する評価のコメントを入力することとしてもよい。
【００３６】
また、校閲結果入力受付部２４３を介して、エディタであるユーザは、記事の校閲結果が、記事の内容を承認するものである場合、その記事の投稿者に付与したポイントを１つ加算したり、ランクを１つ高くしたりする。なお、本実施形態において、記事の校閲結果が、記事の内容を承認しないものである場合、これらポイントやランクは変化されない。ただし、記事の校閲結果が、記事の内容を承認しないものである場合、これらポイントやランクを１つ減算することとしてもよい。なお、同様に、投稿した記事が公開されなかった場合、記事を投稿したユーザのポイントあるいはランクを１つ減じることとしてもよい。このときユーザ管理テーブルに記憶されるポイントやランクは、より上位の校閲者による校閲結果によって変動する可能性があるため、仮のポイントあるいは仮のランクとして設定される。
【００３７】
校閲済み記事データ送信部２４４は、校閲対象の記事を含む記事データに、ユーザ（エディタ）による校閲結果を付加し、校閲済み記事データとして管理サーバ５０に送信する。
上述のように、本実施形態において、ユーザが記事データの校閲を依頼する相手は、原則として、記事の編集に関する権限が１つ上位のユーザである。ただし、校閲を依頼するユーザのランクが一定以上（例えばランク４以上）である場合、上位のユーザを飛び越して、より上位のユーザに記事データの校閲を依頼することとしてもよい。
本実施形態においては、校閲済み記事データ送信部２４４から校閲済み記事データの校閲を依頼可能なユーザ（校閲者）の地位（エディタあるいはエキスパート等）が、「校閲先ユーザ情報」として記憶部１１８に記憶されている。
校閲済み記事データ送信部２４４は、この「校閲先ユーザ情報」を参照し、管理サーバ５０に備えられた記事プールを指定して記事データを送信する。
【００３８】
校閲結果受信部２４５は、校閲済み記事データ送信部２４４から送信された校閲済み記事データについて、管理サーバ５０から送信された校閲結果を受信する。そして、校閲結果受信部２４５は、受信した校閲結果を記憶部１１８に記憶する。
【００３９】
［端末装置３０ａ〜３０ｃ及び端末装置４０の機能的構成］
端末装置３０ａ〜３０ｃ及び端末装置４０の機能的構成は、図５に示す端末装置２０ａ〜２０ｄの機能的構成とほぼ同様であるため、図５及びその説明を参照することとする。
ただし、記憶部１１８に記憶されるデータ等は、端末装置３０ａ〜３０ｃあるいは端末装置４０に合わせて適宜変更される。
【００４０】
また、本実施形態において、端末装置３０ａ〜３０ｃを使用するユーザ（校閲者）は、管理サーバ５０のエキスパート用記事プールＥＸに記憶されている記事データから、任意のものを校閲対象として選択する。また、端末装置４０を使用するユーザ（校閲者）は、管理サーバ５０の地域リーダー用記事プールＲＬに記憶されている記事データから、任意のものを校閲対象として選択する。
【００４１】
さらに、本実施形態において、エキスパートは、エディタによって校閲された記事に対して主に確認作業を行うため、端末装置３０ａ〜３０ｃの記事表示部２４２は、エキスパートによる作業に適した表示形態で記事を表示する。例えば、記事表示部２４２は、投稿者によって投稿された記事と、その記事に対してエディタが校閲を行った際の修正履歴が識別表示された記事とを併せて表示する。
同様に、地域リーダーは、エディタあるいはエキスパートによって校閲された記事に対して主に確認作業を行うため、端末装置４０の記事表示部２４２は、地域リーダーによる作業に適した表示形態で記事を表示する。例えば、記事表示部２４２は、投稿者によって投稿された記事と、その記事に対してエディタが校閲を行った際の修正履歴が識別表示された記事と、その記事に対してエキスパートが校閲を行った際の修正履歴が識別表示された記事とを併せて表示する。なお、記事表示部２４２が、投稿者によって投稿された記事、エディタが校閲を行った際の修正履歴が識別表示された記事及びエキスパートが校閲を行った際の修正履歴が識別表示された記事のうちのいずれか１つまたは２つのみを表示することとしてもよい。
【００４２】
なお、本実施形態において、管理サーバ５０において公開される記事は、全て地域リーダーの校閲を経るものとする。
また、本実施形態において、端末装置３０ａ〜３０ｃは、エキスパートが使用する端末装置としてコンテンツ投稿システム１を構成しているが、端末装置３０ａ〜３０ｃを備えないシステムとすることもでき、反対に、より多くの校閲者の階層を設定し、各階層の校閲者が使用する端末装置がコンテンツ投稿システム１を構成することとしてもよい。
【００４３】
［管理サーバ５０の機能的構成］
図６は、管理サーバ５０の機能的構成のうち、記事公開処理を実行するための機能的構成を示す機能ブロック図である。
記事公開処理とは、端末装置４０から地域リーダーの校閲において承認された校閲済み記事データが送信された場合に、記事データ及び校閲結果を記事データベースに記憶すると共に、記事データに含まれる記事を公開する一連の処理をいう。
【００４４】
記事公開処理が実行される場合には、図６に示すように、ＣＰＵ１１１において、記事データ受信部５４１と、記事登録部５４２と、ページ形成部５４３とが機能する。
【００４５】
ただし、図６は例示であり、ＣＰＵ１１１の機能の少なくとも一部が、ＧＡ等の画像処理を行うハードウェアに移譲されてもよい。
【００４６】
記事公開処理が実行される場合、記憶部１１８の一領域として設けられた記事データベース記憶部５５１が用いられる。
図７は、記事データベース記憶部５５１に記憶されている記事データベースの一例を示す模式図である。
記事データベース記憶部５５１においては、地域リーダーによって承認され、端末装置４０から送信された校閲済み記事データに含まれる記事のデータが、その記事の識別情報、記事を投稿したユーザ（投稿者）の識別情報、記事を承認したユーザ（エディタ、エキスパートあるいは地域リーダー）の識別情報、記事データのバージョン情報と対応付けて記憶されている。なお、記事データベースにおいて、記事のデータは、記事のデータを格納したファイル名等として記憶されている。
【００４７】
例えば、図７においては、記事データベースの第１行に、記事のデータ“ｆｉｌｅ００１”について、記事の識別情報“Ｃ００１”、投稿したユーザの識別情報“Ｕ００１”、記事を承認したユーザの識別情報（エディタ“Ｅ００１”、エキスパート“Ｘ００１”、地域リーダー“Ｒ００１”）、記事データのバージョン情報“Ｖｅｒ １．０”（ユーザ“Ｕ００１”による記事データのバージョン）、“Ｖｅｒ １．１”（エディタ“Ｅ００１”による記事データのバージョン）、“Ｖｅｒ ２．０”（エキスパート“Ｘ００１”による記事データのバージョン）が対応付けて記憶されている。
なお、図７においては、公開される記事が校閲において順次登録される記事プール（具体的には、エディタ用記事プールＥＤ、エキスパート用記事プールＥＸ及び地域リーダー用記事プールＲＬ）を併せて示している。
【００４８】
記事データ受信部５４１は、端末装置４０から校閲済み記事データを受信し、受信した校閲済み記事データを記事登録部５４２に出力する。
記事登録部５４２は、記事データ受信部５４１から入力された校閲済み記事データに含まれている記事のデータを記事データベース記憶部５５１の記事データベースに登録する。
【００４９】
ページ形成部５４３は、記事データベースに登録された記事のデータについて、その記事を公開するためのページデータを形成する。具体的には、ページ形成部５４３は、ネットワーク７０を介して、端末装置等から記事の閲覧要求を受信すると、記事登録部５４２によって記事データベースに登録された記事のデータを取得し、その記事の内容に合致する広告のデータを広告サーバ６０から取得する。そして、ページ形成部５４３は、取得した記事を本文とし、ページの周辺部（例えばページ右上あるいはページ最下欄等）の広告スペースに、広告サーバ６０から取得した広告を配置したページデータを形成する。このページデータが端末装置に送信されることにより、投稿者が投稿した記事が端末装置において閲覧可能となる。
【００５０】
［動作］
次に、動作を説明する。
［投稿処理］
図８は、図４の機能的構成を有する端末装置１０ａ〜１０ｅが実行する投稿処理の流れを説明するフローチャートである。
投稿処理は、ユーザ（投稿者）によって投稿処理の起動が指示入力されることを契機として開始される。
【００５１】
投稿処理が開始されると、ステップＳ１において、記事入力受付部１４１は、入力部１１６等を介してユーザ（投稿者）が入力した記事のデータを受け付ける。
ステップＳ２において、属性情報付加部１４２は、記事入力受付部１４１において入力された記事のデータに、属性情報（端末装置１０ａ〜１０ｅのユーザ（投稿者）の識別情報、記事の識別情報、ユーザの地位及びユーザのランク（現在のポイント獲得数））を付加する。
ステップＳ３において、記事データ送信部１４３は、属性情報付加部１４２から入力された記事データをネットワーク７０を介して管理サーバ５０に送信する。
【００５２】
ステップＳ４において、校閲結果受信部１４４は、記事データ送信部１４３から送信された記事データについて、管理サーバ５０から送信された校閲結果を受信する。
ステップＳ５において、校閲結果受信部１４４は、受信した校閲結果を記憶部１１８に記憶する。
このようなステップＳ５の処理の後、投稿処理は終了となる。
【００５３】
［校閲処理］
図９は、図５の機能的構成を有する端末装置２０ａ〜２０ｄが実行する校閲処理の流れを説明するフローチャートである。
校閲処理は、ユーザ（エディタ）によって校閲処理の起動が指示入力されることを契機として開始される。
【００５４】
校閲処理が開始されると、ステップＳ１１において、記事データ受信部２４１は、端末装置１０ａ〜１０ｅから記事データを受信する。
ステップＳ１２において、記事表示部２４２は、記事データ受信部２４１から受信した記事データに基づいて、記事を表示する。ユーザ（エディタ）は、このように表示された記事を参照して校閲を実行する。
ステップＳ１３において、校閲結果入力受付部２４３は、ユーザ（エディタ）による記事の校閲結果の入力を受け付ける。
ステップＳ１４において、校閲済み記事データ送信部２４４は、校閲対象の記事を含む記事データに、ユーザ（エディタ）による校閲結果を付加し、校閲済み記事データとして管理サーバ５０に送信する。
このようなステップＳ１４の処理の後、校閲処理は終了となる。
【００５５】
なお、端末装置３０ａ〜３０ｃ及び端末装置４０においても、同様に校閲処理が実行される。ただし、校閲済み記事データの登録先として指定する記事プールについては、端末装置３０ａ〜３０ｃ及び端末装置４０それぞれに合わせて変更される。
【００５６】
［記事公開処理］
図１０は、図６の機能的構成を有する管理サーバ５０が実行する記事公開処理の流れを説明するフローチャートである。
記事公開処理は、管理サーバ５０の稼動時には繰り返し実行される。
記事公開処理が開始されると、ステップＳ２１において、記事データ受信部５４１は、端末装置４０から校閲済み記事データを受信する。
ステップＳ２２において、記事登録部５４２は、記事データ受信部５４１から入力された校閲済み記事データに含まれている記事のデータを記事データベース記憶部５５１の記事データベースに登録する。
【００５７】
ステップＳ２３において、ページ形成部５４３は、端末装置等から記事データベースに登録された記事のデータについて閲覧要求を受信することに対応して、その記事を公開するためのページデータを形成する。即ち、ページ形成部５４３は、記事登録部５４２によって記事データベースに登録された記事のデータを取得し、その記事の内容に合致する広告のデータを広告サーバ６０から取得する。そして、ページ形成部５４３は、取得した記事を本文とし、ページの周辺部の広告スペースに、広告サーバ６０から取得した広告を配置したページデータを形成する。このページデータは、閲覧を要求した端末装置等に送信される。
このようなステップＳ２３の処理の後、記事公開処理は終了となる。
【００５８】
以上のように、本実施形態に係るコンテンツ投稿システム１は、投稿者によって使用される端末装置１０ａ〜１０ｅと、校閲者（エディタ）によって使用される端末装置２０ａ〜２０ｄと、地域リーダーによって使用される端末装置４０と、記事を公開する管理サーバ５０とを備える。
そして、投稿者によって投稿された記事が端末装置２０ａ〜２０ｅによって取得され、エディタの校閲を経て、続いて端末装置３０ａ〜３０ｃよって取得され、エキスパートの校閲を経る。さらに、エキスパートによって校閲された記事が端末装置４０によって取得され、地域リーダーの承認を経た後に、管理サーバ５０において公開される。
したがって、幅広いユーザ（投稿者）からの投稿を可能としつつ、校閲者（エディタ、エキスパートあるいは地域リーダー）による校閲を経た記事が投稿された記事として公開されるため、より適切な記事が投稿されるシステムを実現することが可能となる。
【００５９】
また、本実施形態に係るコンテンツ投稿システム１では、上位の校閲者が、校閲する記事を選択する権限を有しているため、各投稿者あるいは各校閲者は、自らが投稿あるいは校閲した記事が公開されるために、より適切な記事の投稿あるいは校閲を行うよう努力することとなる。
したがって、さらに適切な記事が投稿されるシステムを実現することが可能となる。
【００６０】
また、コンテンツ投稿システム１では、投稿者及び校閲者が上位の校閲者に送信した記事データあるいは校閲済み記事データについて、上位の校閲者による評価が、管理サーバ５０を介して、記事データ等を送信した投稿者あるいは校閲者にフィードバックされる。
そのため、投稿者及び校閲者は、自らが投稿した記事あるいは校閲した記事が適切なものであるか否かを判別することができ、より適切な記事の投稿あるいは校閲を支援することができる。
【００６１】
また、コンテンツ投稿システム１では、投稿者及び校閲者に対する評価結果に応じて、投稿者及び校閲者のランクが与えられ、ランクに応じて、記事の校閲先として、より上位の校閲者を選択することが許可される。
したがって、投稿者あるいは校閲者にとって、投稿する記事あるいは校閲した記事の適確性をより高めるモチベーションとすることができる。
【００６２】
［第２実施形態］
次に、本発明の第２実施形態について説明する。
本実施形態におけるコンテンツ投稿システム１は、第１実施形態におけるコンテンツ投稿システム１に対し、管理サーバ５０が公開する記事のページにおいて、広告がクリックされた場合の広告収入を分配するための処理が付加されたものである。
したがって、異なる部分である広告がクリックされた場合の広告収入を分配するための処理（広告収入分配処理）を主として説明し、他の部分については、第１実施形態を適宜参照するものとする。
【００６３】
［管理サーバ５０の機能的構成］
図１１は、管理サーバ５０の機能的構成のうち、広告収入分配処理を実行するための機能的構成を示す機能ブロック図である。
広告収入分配処理とは、公開された記事のページにおいて、広告がクリックされた場合に、条件に応じて、その記事の公開に関与した投稿者及び校閲者に広告収入を分配する一連の処理をいう。
広告収入分配処理が実行される場合には、図１１に示すように、ＣＰＵ１１１において、分配管理テーブル生成部６４１と、広告収入分配部６４２とが機能する。
【００６４】
広告収入分配処理が実行される場合、記憶部１１８の一領域として設けられた広告収入分配管理テーブル記憶部６５１とが用いられる。
図１２は、広告収入分配管理テーブル記憶部６５１に記憶されている広告収入分配管理テーブルの一例を示す模式図である。
広告収入分配管理テーブル記憶部６５１においては、地域リーダーによって承認され、端末装置４０から送信された校閲済み記事データに関して、校閲された記事の識別情報が、記事を投稿したユーザ（投稿者）の識別情報、記事を承認したユーザ（エディタ、エキスパートあるいは地域リーダー）の識別情報、投稿者及び校閲者に対する広告収入の分配率、その記事のページデータに配置された広告の識別情報と対応付けて記憶されている。
【００６５】
例えば、図１２においては、広告収入分配管理テーブルの第１行に、記事の識別情報“Ｃ００１”の記事について、記事を投稿したユーザ（投稿者）の識別情報“Ｕ００１”、記事を承認したユーザの識別情報（エディタ“Ｅ００１”、エキスパート“Ｘ００１”、地域リーダー“Ｒ００１”）、投稿者及び記事を承認したユーザに対する広告収入の分配率（投稿者“Ｕ００１”は４０％、エディタ“Ｅ００１”は２０％、エキスパート“Ｘ００１”は２０％、地域リーダー“Ｒ００１”は２０％）、その記事のページデータに配置された広告の識別情報“ＡＤ００１”が対応付けて記憶されている。
【００６６】
分配管理テーブル生成部６４１は、端末装置４０から送信された校閲済み記事データに基づいて、その記事を投稿したユーザ（投稿者）の識別情報、その記事を校閲し、承認した全てのユーザ（エディタ、エキスパートあるいは地域リーダー等の校閲者）の識別情報を取得する。そして、分配管理テーブル生成部６４１は、取得した投稿者及び校閲者の識別情報を、その記事の識別情報と対応付けて、広告収入分配管理テーブル記憶部６５１の広告収入分配管理テーブルに格納する。また、分配管理テーブル生成部６４１は、記事のページデータを参照し、ページデータに配置された広告の識別情報を取得して、その記事の識別情報と対応付けて、広告収入分配管理テーブル記憶部６５１に格納する。
このとき、分配管理テーブル生成部６４１は、記事の投稿から公開までに関与した校閲者の人数等に応じて、投稿者及び各校閲者の広告収入の分配率を投稿者及び校閲者の識別情報と共に広告収入分配管理テーブル記憶部６５１に記憶する。
【００６７】
例えば、分配管理テーブル生成部６４１は、通常の投稿者及び校閲者が関与する場合（即ち、投稿者が記事を投稿し、エディタ、エキスパート及び地域リーダーの順に校閲した場合）、投稿者の分配率を４０％、エディタの分配率を２０％、エキスパートの分配率を２０％、地域リーダーの分配率を４０％とする。一方、投稿者のランクが一定以上となり、エディタを飛び越してエキスパートに記事が校閲された場合、分配管理テーブル生成部６４１は、投稿者の分配率を５０％、エキスパートの分配率を２５％、地域リーダーの分配率を２５％とする。なお、エディタのランクが一定以上となり、投稿者から投稿された記事が、エディタからエキスパートを飛び越して地域リーダーに校閲された場合には、同様に、エディタの分配率をより多く高めて、残りを投稿者や地域リーダーの分配率に割り当てることができる。エキスパートのランクが一定以上となっている場合も同様である。
【００６８】
広告収入分配部６４２は、図６のページ形成部５４３によって形成されたページデータが端末装置等において閲覧され、ページ内の広告がクリックされた場合に、クリックされた広告を識別する情報と、そのページを構成する記事の識別情報とを取得する。そして、広告収入分配部６４２は、クリックされた広告を識別する情報に基づいて、広告サーバ６０にアクセスし、クリックされた広告の広告収入の金額を取得する。また、広告収入分配部６４２は、記事の識別情報に基づいて、広告収入分配管理テーブルを参照し、その記事を投稿したユーザ（投稿者）の識別情報及びその記事を校閲し、承認したユーザ（校閲者）の識別情報を取得する。さらに、広告収入分配部６４２は、広告収入分配管理テーブルを参照し、投稿者及び各校閲者に設定された広告収入の分配率を取得する。そして、広告収入分配部６４２は、この分配率に基づいて、その記事の広告収入の金額を、その記事の投稿者と、各校閲者とに分配する。
【００６９】
［広告収入分配処理］
図１３は、図１１の機能的構成を有する管理サーバ５０が実行する広告収入分配処理の流れを説明するフローチャートである。
広告収入分配処理は、記事のページデータが生成されることを契機として開始される。
広告収入分配処理が開始されると、ステップＳ３１において、分配管理テーブル生成部６４１は、広告収入分配管理テーブルの生成に必要な各種データ（投稿者の識別情報、校閲者の識別情報、広告収入の分配率等）を取得する。
ステップＳ３２において、広告収入分配部６４２は、ページ形成部５４３によって形成されたページデータが端末装置等において閲覧され、ページ内の広告がクリックされることに対応して、クリックされた広告を識別する情報と、そのページを構成する記事の識別情報とを取得する。
【００７０】
ステップＳ３３において、広告収入分配部６４２は、クリックされた広告を識別する情報に基づいて、広告サーバ６０にアクセスし、クリックされた広告の広告収入の金額を取得する。
ステップＳ３４において、広告収入分配部６４２は、記事の識別情報に基づいて、広告収入分配管理テーブルを参照し、その記事を投稿したユーザ（投稿者）の識別情報及びその記事を校閲し、承認したユーザ（校閲者）の識別情報を取得する。
ステップＳ３５において、広告収入分配部６４２は、広告収入分配管理テーブルを参照し、投稿者及び各校閲者に設定された広告収入の分配率を取得する。
ステップＳ３６において、広告収入分配部６４２は、取得した分配率に基づいて、その記事の広告収入の金額を、その記事の投稿者と、各校閲者とに分配する。
このようなステップＳ３６の処理の後、広告収入分配処理は終了となる。
【００７１】
以上のように、本実施形態に係るコンテンツ投稿システム１は、記事の投稿から公開までに関与した編集権限を有するユーザ（投稿者あるいは校閲者）に応じて、公開された記事のページデータ内における広告がクリックされた場合の広告収入の分配率を決定している。特に、投稿者あるいは校閲者のランクが一定以上となり、１つ上位の校閲者を飛び越して、より上位の校閲者による校閲に付された場合、ランクが一定数に達しているユーザの分配率がより高いものとなる。
そのため、投稿者及び校閲者にとっては、より適切な記事を上位の校閲者に受け渡すモチベーションが高まる。
即ち、コンテンツ投稿システム１によれば、より適切な記事が投稿されることを促進できる。
【００７２】
なお、上記実施形態において、端末装置１０ａ〜１０ｅ，２０ａ〜２０ｄ，３０ａ〜３０ｃ，４０間において、インスタントメッセージの送信を行う機能を付加することとしてもよい。ただし、インスタントメッセージの送受信においては、記事データの送受信は行われず、ユーザ間の簡易なメッセージの授受のみが行われる。
また、上記実施形態において、記事を投稿したユーザあるいは校閲したユーザに対して、記事の校閲においてポイントを付与することの他、記事の公開時や、公開後の記事に対するアクセス数に応じてポイントを付与することが可能である。本実施形態において付与されたポイントは、報酬として、他のポイントプログラム等において使用することが可能である。
【００７３】
また、本実施形態においては、一定以上のランクとなっている投稿者あるいは校閲者は、上位のユーザを飛び越して、より上位のユーザに記事データの投稿を依頼できる例について説明したが、これに限られない。例えば、一定以上のランクとなっている投稿者あるいは校閲者が、記事の校閲を依頼する校閲者を指定することとしてもよい。これにより、校閲者にとって、投稿者等から指定を受けるべく、より早く信頼感のある仕事をするモチベーションが高いシステムとすることができる。
また、記事プールに登録され、一定期間、校閲が行われていない記事が存在する場合、その記事の校閲を行うことによって付与されるポイントを高くし、校閲者に選択され易い状態に変化させることとしてもよい。
これにより、投稿された記事を速やかに処理することが可能となる。
【００７４】
また、上記実施形態における管理サーバ５０及び各端末装置の機能は、一部を他の装置に移譲したり、複数の装置が有する機能をまとめたりすることが可能である。
【符号の説明】
【００７５】
１  コンテンツ投稿システム、１０ａ〜１０ｅ，２０ａ〜２０ｄ，３０ａ〜３０ｃ，４０  端末装置、５０  管理サーバ、６０  広告サーバ、７０  ネットワーク、１００  情報処理装置、１１１  ＣＰＵ、１１２  ＲＯＭ、１１３  ＲＡＭ、１１４  バス、１１５  入出力インターフェース、１１６  入力部、１１７  出力部、１１８  記憶部、１１９  通信部、１２０  ドライブ、１３１  リムーバブルメディア、１４１  記事入力受付部（コンテンツ入力受付手段）、１４２  属性情報付加部（属性情報付加手段）、１４３  記事データ送信部（コンテンツ提供手段）、１４４，２４７  校閲結果受信部、２４１  記事データ受信部（コンテンツ取得手段、校閲済みコンテンツ取得手段）、２４２  記事表示部、２４３  校閲結果入力受付部、２４４  校閲済み記事データ送信部（校閲結果付加手段、校閲済みコンテンツ提供手段）、２４５  校閲結果受信部、５４１  記事データ受信部、５４２  記事登録部、５４３  ページ形成部（公開手段）、５５１  記事データベース記憶部、６４１  分配管理テーブル生成部、６４２  広告収入分配部、６５１  分配管理テーブル記憶部、ＥＤ  エディタ用記事プール、ＥＸ  エキスパート用記事プール、ＲＬ  地域リーダー用記事プール
【図１】
2015022342.tif 000003
【図２】
2015022342.tif 000004
【図３】
2015022342.tif 000005
【図４】
2015022342.tif 000006
【図５】
2015022342.tif 000007
【図６】
2015022342.tif 000008
【図７】
2015022342.tif 000009
【図８】
2015022342.tif 000010
【図９】
2015022342.tif 000011
【図１０】
2015022342.tif 000012
【図１１】
2015022342.tif 000013
【図１２】
2015022342.tif 000014
【図１３】
2015022342.tif 000015